(57)【要約】【課題】載置面に吸収された熱を速やかに放熱して該載置面の低温状態を長時間に亘って持続させる。【解決手段】ペットを載置可能な載置面８を有する扁平なケーシング２と、ペットの体温によって融解する冷却剤を封入している扁平なバック体３とを備え、ケーシング２は金属によって形成され、バック体３は、その表面及び裏面をケーシング２の内周面に接触させた状態でケーシング２の内部に配備されている。【選択図】図４
0003119242.tif 000002
【実用新案登録請求の範囲】
【請求項１】
ペットを載置可能な載置面（８）を有する扁平なケーシング（２）と、
ペットの体温によって融解する冷却剤を封入している扁平なバック体（３）とを備え、
前記ケーシング（２）は金属によって形成され、前記バック体（３）は、その表面及び裏面をケーシング（２）の内周面に接触させた状態で該ケーシング（２）の内部に配備されていることを特徴とするペット用クーラーマット。
【請求項２】
前記ケーシング（２）の内周面には、前記バック体（３）の移動を規制する移動規制手段（３３）が突設されていることを特徴とする請求項１に記載のペット用クーラーマット。
【請求項３】
前記ケーシング（２）の側部には、別のケーシング（２）に相互に連結するための連結手段（２０）が設けられていることを特徴とする請求項１又は請求項２に記載のペット用クーラーマット。
【請求項４】
前記連結手段（２０）は、隣り合うケーシング（２）の載置面（８）を同じ方向に向けて連結する順接状態と、一方のケーシング（２）に対し他方のケーシング（２）を裏返した状態で連結する逆接状態とに設定可能に形成されており、隣り合う２体のケーシング（２）は、順接状態にて水平方向に連結され、逆接状態にて一方のケーシング（２）の上部に他方のケーシング（２）が起立可能に連結されることを特徴とする請求項３に記載のペット用クーラーマット。
【請求項５】
前記ケーシング（２）の載置面（８）は、凹凸状に形成されていることを特徴とする請求項１乃至請求項４の何れかに記載のペット用クーラーマット。
【請求項６】
前記ケーシング（２）には、前記載置面（８）の反対側の位置して床面（Ｆ）に接触する裏面に、前記床面（Ｆ）との間に該裏面からケーシング（２）の側部に向けて空気の送通路（Ｓ）を形成する凹条部（１０）が形成されていることを特徴とする請求項１乃至請求項５の何れかに記載のペット用クーラーマット。
【考案の詳細な説明】
【技術分野】
【０００１】
本考案は、夏場等に犬や猫等のペットに対して冷涼感を与えることができるペット用クーラーマットに関するものである。
【背景技術】
【０００２】
犬や猫等のペットは夏場の暑さに比較的弱く、この時期になると室内のフローリング等の冷たい面に寝そべって暑さを凌ぐ姿がよく見られる。
しかしながら、フローリング等はそもそも人間の生活空間の一部であり、ペットが寝そべることによって抜け毛、汚れ、臭い等が付くと、その都度清掃する手間が必要となる。また、ペットが寝ころんだ部位に染みついた汚れや臭いは簡単にはとれず、飼い主の生活環境を悪化させてしまうことがあった。
かかる問題を解決すべく、本願出願人は、複数枚の陶磁器質タイルによりペットを載せる載置面を形成し、該載置面の周囲を枠材によって包囲したペット用クーラーマットを提案している（特許文献１参照）。
【特許文献１】実用新案登録第３０９５６５７号
【考案の開示】
【考案が解決しようとする課題】
【０００３】
しかしながら、上記ペット用クーラーマットは、載置面を形成するタイルに吸収された熱を速やかに放熱する構成とはなっていないため、ペットが載置面に載った当初は低温状態のタイルによる冷却効果を得ることができるものの、ペットの体温によって伝達された熱が徐々にタイル内に籠もり、これによって、載置面の低温状態を長時間に亘って持続させることが困難である問題があった。
そこで、本考案は、載置面に吸収された熱を速やかに放熱して該載置面の低温状態を長時間に亘って持続させることができるペット用クーラーマットを提供することを目的とする。
【課題を解決するための手段】
【０００４】
前記目的を達成するため、本考案においては以下の技術的手段を講じた。
即ち、本考案における課題解決のための技術的手段は、ペット用クーラーマットにおいて、
ペットを載置可能な載置面を有する扁平なケーシングと、
ペットの体温によって融解する冷却剤を封入している扁平なバック体とを備え、
前記ケーシングは金属によって形成され、前記バック体は、その表面及び裏面をケーシングの内周面に接触させた状態で該ケーシングの内部に配備されていることを特徴とする。
【０００５】
これによれば、載置面上に移動したペットは、先ず、金属によって形成された載置面による冷却効果を得ることができる。その後、載置面には次第にペットの体温による熱が伝達されることとなるものの、該熱は載置面を形成するケーシングの内周面に接触しているバック体内の冷却剤に速やかに伝達され、該冷却剤の融解作用に伴って該冷却剤に吸収される。
これにより、載置面は、ペットが該載置面上に移動した当初の低温状態を長時間に亘って持続することができる。
【０００６】
また、前記ケーシングの内周面には、前記バック体の移動を規制する移動規制手段が突設されていることが好ましい。
これにより、ケーシング内にてバック体が移動することはなく、バック体を内蔵したケーシングを持ち運ぶ場合にも、その前後でバック体の位置が移動することはない。また、該移動規制手段がケーシングの内周面に突設されることにより、該ケーシングが補強されて強度が向上することとなる。
また、前記ケーシングの側部には、別のケーシングに相互に連結するための連結手段が設けられていることが好ましい。
【０００７】
これによれば、複数のケーシングを連結することができ、ペットの大きさ、数、種類や室内状況に合わせて載置面によって形成される低温領域を拡げたり狭めたり形成することができる。
また、前記連結手段は、隣り合うケーシングの載置面を同じ方向に向けて連結する順接状態と、一方のケーシングに対し他方のケーシングを裏返した状態で連結する逆接状態とに設定可能に形成されており、隣り合う２体のケーシングは、順接状態にて水平方向に連結され、逆接状態にて一方のケーシングの上部に他方のケーシングが起立可能に連結されることが好ましい。
【０００８】
これにより、隣り合うケーシングどうしを順接状態として連結して水平方向に載置面を延伸させることができる。また、隣り合うケーシングどうしを逆接状態として連結して他方のケーシングを一方のケーシングに対し起立させることにより、立体的な低温空間を構成することができる。
また、前記ケーシングの載置面は、凹凸状に形成されていることが好ましい。これにより、表面を平滑とした載置面よりも滑り難くすることができ、ペットが安心して乗り降りできる。また、ケーシングの強度向上を図ることもできる。
【０００９】
また、前記ケーシングには、前記載置面の反対側の位置して床面に接触する裏面に、前記床面との間に該裏面からケーシングの側部に向けて空気の送通路を形成する凹条部が形成されていることが好ましい。
これによれば、バック体に封入された冷却剤は、載置面からのみでなく空気の送通路をを有する裏面側からも熱を放熱することができ、速やかに熱吸収可能状態に復帰する。
【考案の効果】
【００１０】
本考案のペット用クーラーマットによれば、載置面に吸収された熱を速やかに放熱して該載置面の低温状態を長時間に亘って持続させることができる。
【考案を実施するための最良の形態】
【００１１】
以下、本考案に実施した形態につき、図面に沿って具体的に説明する。
本考案に係るペット用クーラーマット１は、図１及び図２に示す如く、ケーシング２と、該ケーシング２の内部に配備可能なバック体３とを備えたユニットとして構成されている。
ケーシング２は、中空に形成された扁平な本体５と、該本体５の開口６を閉塞する蓋体７とから構成されている。
本体５は、アルミ素材に押出し成形加工を施すことによって中空の板状に形成されており、上壁５ａと、下壁５ｂと、一対の側壁５ｃ、５ｄとから構成されると共に、長尺方向の両端に開口６をそれぞれ備えている。
【００１２】
該上壁５ａの上面はペットを載置可能な載置面８として形成されている。該載置面８には、一方の開口６の開口縁部から他方の開口６の開口縁部に亘って複数本の筋部９が互いに平行に凹設されている。これにより、載置面８が滑り難いものとなり、ペットが載置面８上にて滑ってしまう虞はない。また、筋部８が凹設されることにより本体５の強度が向上する。
また、図４に示す如く、下壁５ｂの表面には、一方の開口６の開口縁部から他方の開口６の開口縁部に亘って一対の凹条部１０が延設されている。
【００１３】
また、図３及び図４に示す如く、一対の側壁５ｃ、５ｄを有する一対の側面には、当該ペット用クーラーマット１とは別のペット用クーラーマット１に着脱自在に連結するための連結手段２０が設けられている。
連結手段２０は、一方の側壁５ｃに突設された連結雄部２１と、他方の側壁５ｄに凹設された連結雌部２２とから構成されている。
連結雄部２１は、本体５の上下壁間の中心となる位置よりも上壁側に偏った位置に設けられている。また、該連結雄部２１は、一方の側壁５ｃから僅かに離間した位置にて該側壁５ｃと平行に伸びる丸軸部２５と、該丸軸部２５と側壁５ｃとを連結する束部２６とを備えている。該束部２６は、前記上下面と平行に伸び、丸軸部２５の軸心よりも上面側に偏った位置にて該丸軸部２５に連結されている。
【００１４】
また、連結雌部２２は、前記連結雄部２１と同様に、本体５の上下壁間の中心となる位置よりも上壁側に偏った位置に設けられている。また、連結雌部２２は、前記連結雄部２１の丸軸部２５の外周を取り囲んで該丸軸部２５を支承する欠円状支承部２８と、該欠円状支承部２８の一方の端部と他方の側壁５ｄとを連結する横連結部３０と、欠円状支承部２８の他方の端縁部と上壁５ａとを連結する縦連結部３１とを備えている。横連結部３０は前記上壁５ａと平行に延設されている。また、縦連結部３１は該横連結部３０に対し垂直に延設されている。
【００１５】
また、本体５の内周面には、本体５の内部に配備されたバック体３の移動を規制する移動規制手段３３が突設されている。
移動規制手段３３は、上壁５ａに前記一方の開口６の開口縁部から他方の開口６の開口縁部に亘って突設された一対の上リブ３４と、下壁５ｂに前記一方の開口６の縁部から他方の開口６の縁部まで突設された一対の下リブ３５とを備えている。これら一対の上リブ３４と一対の下リブ３５とは、僅かな間隙を有して互いに対向している。
バック体３は、本体５の内部に側部をこれら一対の上リブ３４及び下リブ３５に接触させた状態で配備されている。これによってバック体３は、本体５の何れか一方の側面に向けて移動することが規制されている。
【００１６】
また、前記一方の側壁５ｃには、前記一方の開口６の縁部から他方の開口６の縁部まで突設された一対の側リブ３６を備えている。これら一対の上リブ３４と一対の下リブ３５及び一対の側リブ３６によって本体５が補強されて強度の向上が図られている。
図１及び図３に示す如く、蓋体７は、樹脂によって形成されており、本体５の開口６を閉塞してケーシング２の端面を形成する外装部４１と、本体５の内周面に接触した状態で該本体５の内部に差し込まれる差込み部４２とから構成されている。該差込み部４２は、前記一対の上リブ３４、一対の下リブ３５、一対の側リブ３６と対向する位置に溝部４３を有すると共に、外装部４１とは反対側となる端部に向けて開放状に形成された肉抜き部４４を複数箇所に有している。
【００１７】
該蓋体７を本体５から取り外すことにより、該本体５の開口６が露出する。この状態で本体５の内部にバック体３を配備することができる。
また、バック体３は、一対の上リブ３４及び下リブ３５によって本体５の内部での移動が案内される。これにより、バック体３の本体５への出し入れを容易に行うことができる。
図４に示す如く、バック体３は、本体５の上下壁間の大きさと同一若しくは僅かに小さい厚さを有する扁平な板状に形成されている。そして、該バック体３は、その表面を本体５の上壁５ａの裏面に接触させると共に裏面を本体５の下壁５ｂの裏面に接触させた状態で該本体５の内部に配備されている。
【００１８】
また、バック体３は、ペットの体温によって融解する冷却剤を封入して構成されている。該冷却剤は、硫酸ナトリウムＮａ2ＳＯ4を主成分として構成されている。
また、本体５の内部に配備されたバック体３と蓋体７との間には、スチロール製の中間部材４６が配備されており、これによってバック体３の長手方向の移動が規制されている。
本実施の形態は以上の構成からなるものであって、次に、ユニット化された２体のペット用クーラーマット１を相互に連結する方法について説明する。
【００１９】
図５及び図６に示す如く、前記連結手段２０は、隣接するペット用クーラーマット１の載置面８を同じ方向に向けてこれら隣接するペット用クーラーマット１を相互に接続する順接状態に設定可能である。
２体のペット用クーラーマット１を順接状態として連結する場合、先ず、一方のペット用クーラーマット１の載置面８と他方のペット用クーラーマット１の載置面８を同じ状態に向ける。そして、この状態から他方のペット用クーラーマット１を一方のペット用クーラーマット１に対し斜めに構える。
【００２０】
次に、該他方のペット用クーラーマット１に設けられた連結雄部２１の長尺方向の一端と、一方のペット用クーラーマット１に設けられた連結雌部２２の長尺方向の一端とを対向させる。このとき、該連結雄部２１の丸軸部２５の軸心上に該連結雌部２２の欠円状支承部２８を形成する円弧の半径中心を位置させる。そして、この状態でこれら一対のペット用クーラーマット１を互いにスライドさせ、該丸軸部２５を欠円状支承部２８に滑り込ませる。その後、さらにこれら一対のペット用クーラーマット１を互いにスライドさせる。これにより、該丸軸部２５が欠円状支承部２８の一端側から他端側まで差し込まれ、２体のペット用クーラーマット１は順接状態として連結される。
【００２１】
その後、一方のペット用クーラーマット１を斜めに構えた状態から拡開する。これにより、これら２体のペット用クーラーマット１は、互いの載置面８を同じ方向に向けた状態で水平方向に連結され、載置面８を水平方向に延伸してペットの載置領域が確保されることとなる。
また、該順接状態において、他方のペット用クーラーマット１に設けられた連結雄部２１の丸軸部２５は、一方のペット用クーラーマット１に設けられた連結雌部２２の欠円状支承部２８に回転自在に支承されている。また、図５中に拡大して示す如く、該連結雄部２１の束部２６に該連結雌部２２の横連結部３０が対向・当接すると共に、該連結雄部２１を備えた側壁５ｃに該連結雌部２２を側壁５ｄとが対向・当接する。
【００２２】
これにより、水平方向に連結された２体のペット用クーラーマット１は、さらなる拡開方向への揺動が規制される。また、これらを閉じ方向に所定の角度以上に揺動させると、連結雄部２１の束部２６が該連結雌部２２の縦連結部３１に当接する。これにより、順接状態で連結された２体のペット用クーラーマット１は閉じ方向への揺動を規制され、所定角度以上に閉じることが防止されている。
図７及び図８に示す如く、前記連結手段２０は、隣接するペット用クーラーマット１の載置面８を互いに反対方向に向けてこれら隣接するペット用クーラーマット１を相互に接続する逆接状態に設定可能である。
【００２３】
２体のペット用クーラーマット１を逆接状態として連結する場合、先ず、一方のペット用クーラーマット１の載置面８と他方のペット用クーラーマット１の載置面８を互いに反対方向に向ける。そして、この状態から上述と同様の手順によってこれら２体のペット用クーラーマット１を連結する。これによって２体のペット用クーラーマット１を逆接状態として連結される。そして、他方のペット用クーラーマット１を閉じ方向に揺動させることにより、これら２体のペット用クーラーマットは、他方のペット用クーラーマット１が一方のペット用クーラーマット１に対し起立した状態で連結されることとなり、これらペット用クーラーマット１によって立体的な低温空間が形成されることとなる。
【００２４】
このとき、図７中に拡大して示す如く、他方のペット用クーラーマット１に設けられた連結雄部２１の丸軸部２５は、一方のペット用クーラーマット１に設けられた連結雌部２２の欠円状支承部２８に回転自在に支承されている。また、該連結雄部２１の束部２６に該連結雌部２２の縦連結部３１が対向・当接すると共に、該連結雄部２１を備えた側壁５ｃが一方のペット用クーラーマット１の上壁５ａに対向・当接する。
これにより、一方の上部に他方が起立している状態で連結された２体のペット用クーラーマット１は、さらなる閉じ方向への揺動が規制される。また、これらを拡開方向に揺動させる場合にも、該連結雄部２１の束部２６が該連結雌部２２の横連結部３０に当接する。これにより、逆接状態で連結された２体のペット用クーラーマット１は拡開方向への揺動を規制され、所定角度以上に拡開することが防止されている。
【００２５】
上記本実施の形態のペット用クーラーマット１によれば、図６及び図８に示す如く、載置面８に移動したペットは、先ず、アルミ素材によって形成された載置面８による冷却効果を得ることができる。その後、載置面８には次第にペットの体温による熱が伝達されることとなるものの、該熱は載置面８を形成するケーシング２の内周面に接触しているバック体３内の冷却剤に速やかに伝達され、該冷却剤の融解作用によって該冷却剤に吸収される。
これにより、ペット移動当初の載置面８の低温状態は長時間に亘って持続することとなる。
【００２６】
しかも、載置面８は、バック体３に封入された冷却剤の吸熱作用によってさらに冷却される。このため、載置面８は、アルミ素材によって形成されることによる熱吸収効果に冷却剤による吸熱作用を得、これらの相乗効果によってより効果的に低温状態が維持されることとなる。
また、本実施の形態のペット用クーラーマット１は、床面Ｆに載置されることにより、凹条部１０によって該床面Ｆとの間に空気の送通路Ｓを形成する。これによって、バック体３に封入された冷却剤は、本体５の下方からも熱を放熱することができ、速やかに凝固して熱吸収可能状態に復帰する。
【００２７】
また、本実施の形態のペット用クーラーマット１は、バック体３をケーシング２の内部に配備したユニットとして構成されているので、持ち運びが容易となる。
また、図６に示す如く複数のペット用クーラーマット１を水平方向に連結することができ、ペットの大きさ、数、種類や室内状況に合わせて載置面８によって形成される低温領域を拡縮することができる。また、図８に示す如くペット用クーラーマット１の上部に別のペット用クーラーマット１を起立させた状態で連結することも可能であり、これによって立体的な低温空間が構成される。
【００２８】
以上、本考案の実施の形態を詳述したが、本考案は上記の実施の形態に限定されるものではない。例えば、ケーシング２の形状は、平面視円状、楕円状等に形成する場合にも、本実施の形態と同様の効果を発揮する。また、水平方向に隙間なく敷き並べることを考慮して、ケーシング２の形状を平面視三角形状、六角形状、正方形状に構成することももちろん可能である。
また、本体５は、ステンレス製や鋳鉄製等、ペットに悪影響を生じない金属であればいかなる金属を用いても構わない。また、該本体５の表面にメッキ、蒸着、塗装等が施されている場合にも、本実施の形態と同様の効果を奏する。
【００２９】
また、連結手段２０は、互いに連結可能であれば、嵌込み式や面ファスナによって構成することも可能である。また、連結手段２０を蓋体７の外装部４１に形成することも可能である。
また、バック体３は、ケーシング２よりも僅かに小さい形状として構成することも可能である。また、バック体３に封入する冷却剤としては、燐酸ソーダ等を採用することも可能である。
【図面の簡単な説明】
【００３０】
【図１】本発明に係るペット用クーラーマットを分解して示す斜視図である。
【図２】ペット用クーラーマットの斜視図である。
【図３】ペット用クーラーマットの平面図である。
【図４】ペット用クーラーマットの断面図である。
【図５】ペット用クーラーマットの連結状態を示す断面図である。
【図６】ペット用クーラーマットの使用状態を示す斜視図である。
【図７】ペット用クーラーマットの他の連結状態を示す断面図である。
【図８】ペット用クーラーマットの他の使用状態を示す斜視図である。
【符号の説明】
【００３１】
１      ペット用クーラーマット
２      ケーシング
３      バック体
５      本体
６      開口
７      蓋体
８      載置面
１０    凹条部
２０    連結手段
３３    移動規制手段
【図１】
0003119242.tif 000003
【図２】
0003119242.tif 000004
【図３】
0003119242.tif 000005
【図４】
0003119242.tif 000006
【図５】
0003119242.tif 000007
【図６】
0003119242.tif 000008
【図７】
0003119242.tif 000009
【図８】
0003119242.tif 000010